(57)【要約】【課題】本発明は突発的な図面変更、修正等にも対応でき、納期や納品先を考慮することなくコストを低減することができる情報管理システムを得るにある。【解決手段】設計や配線等の図面データ等を管理するサーバコンピュータを利用する情報管理システムで、サーバコンピュータと、このサーバコンピュータに接続されたユーザコンピュータと、前記サーバコンピュータのデータベースに設計や配線等の図面データ等を蓄積するコンピュータ命令、蓄積されたデータが各々のユーザコンピュータ間で共有できるように関連付けられ、前記ユーザコンピュータからの命令により、再注文や設計変更等の情報を収集し、加工、再編集等の処理をするコンピュータ命令、処理されたデータを工場に送信するコンピュータ命令、工場で生産された製品の納期や納品時期等に合わせて配送するコンピュータ命令を含む、前記サーバコンピュータの実行するコンピュータプログラムとで情報管理システムを構成している。【選択図】  図１
2004272567.tif 000002
【特許請求の範囲】
【請求項１】
設計や配線等の諸データや図面データを共有し、管理するサーバコンピュータを通信網を介して利用する情報管理システムであって、少なくとも１つのサーバコンピュータと、このサーバコンピュータに接続された１つ以上のユーザコンピュータと、前記サーバコンピュータのデータベースに設計や配線等の諸データや図面データを蓄積する第１のコンピュータ命令、この第１のコンピュータ命令で蓄積されたデータが各々のユーザコンピュータ間で共有できるように関連付けられ、前記ユーザコンピュータからの命令により、再注文や設計変更等の情報を収集し、加工、再編集等の処理をする第２のコンピュータ命令、この第２のコンピュータ命令で処理されたデータを工場に送信する第３のコンピュータ命令、工場で生産された製品の納期や納品時期等に合わせて配送する第４のコンピュータ命令とを含む、前記サーバコンピュータの実行するコンピュータプログラムとからなること特徴とする情報管理システム。
【請求項２】
前記コンピュータプログラムには、設計や配線等に関する諸データや図面データ再編集を支援する画面の表示を促すコンピュータ命令を含むことを特徴とする特許請求の範囲第１項記載の情報管理システム。
【請求項３】
前記コンピュータプログラムには、ユーザコンピュータから有資格者情報を得るためのコンピュータ命令と、データの取扱いを結う有資格者のユーザコンピュータのみに可能にするコンピュータ命令とを含むことを特徴とする特許請求の範囲第１項記載の情報管理システム。
【請求項４】
前記コンピュータプログラムの第４のコンピュータ命令が第三者への委託サービスによって実行されるコンピュータ命令であることを特徴とする特許請求の範囲第１項記載の情報管理システム。
【請求項５】
前記ユーザコンピュータには建築や配線等の基本設計情報を有する住宅メーカを含むことを特徴とする特許請求の範囲第１項記載の情報管理システム。
【請求項６】
前記サーバコンピュータには、ネットワークを介して配線設計等を手がけるＣＡＤシステムが接続されることを特徴とする特許請求の範囲第１項記載の情報管理システム。
【請求項７】
前記コンピュータプログラムには、加工、再編集等の処理がされたデータであることを表すコンピュータ命令を含むことを特徴とする特許請求の範囲第１項記載の情報管理システム。
【請求項８】
少なくとも１つのサーバコンピュータと、このサーバコンピュータに接続された１つ以上のユーザコンピュータとを含むコンピュータシステムを用いて、設計や配線等の諸データや図面データを共有し、管理する前記サーバコンピュータを通信網を介して利用する情報管理方法であって、前記サーバコンピュータのデータベースに設計や配線等の諸データや図面データを蓄積するステップと、この蓄積ステップで蓄積されたデータが各々のユーザコンピュータ間で共有できるように関連付けられ、前記ユーザコンピュータからの命令により、再注文や設計変更等の情報を収集し、加工、再編集等の処理をするステップと、この処理ステップで処理されたデータを工場に送信するステップ、この送信ステップで送信されたデータに基づいて、工場で生産された製品の納期や納品時期等に合わせて配送するステップとを含むことを特徴とする情報管理方法。
【発明の詳細な説明】
【０００１】
【発明の属する技術分野】
本発明は、設計や配線等の諸データや図面データの取引をする情報管理システムおよび方法に関する。
【０００２】
【従来の技術】
従来、自社で作成した建築物の配線等の図面を基にして、提携の工場等に発注し、製品を作成している。
【０００３】
【発明が解決しようとする課題】
従来の建築物の配線等の図面から製品作成までに伴う情報管理システムは、製品作成後に図面変更、修正等の突発的な事態が起こった場合に作り直し等に余計な手間がかかったり、製品の納品の際に遠隔地の場合には時間がかかるとともにコストがかかってしまうという欠点があった。
【０００４】
本発明は以上のような従来の欠点に鑑み、突発的な図面変更、修正等にも対応でき、納品期間を効率よく短縮し、かつコストを低減することができる情報管理システムを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は設計や配線等の諸データや図面データを共有し、管理するサーバコンピュータを通信網を介して利用する情報管理システムであって、少なくとも１つのサーバコンピュータと、このサーバコンピュータに接続された１つ以上のユーザコンピュータと、前記サーバコンピュータのデータベースに設計や配線等の諸データや図面データを蓄積する第１のコンピュータ命令、この第１のコンピュータ命令で蓄積されたデータが各々のユーザコンピュータ間で共有できるように関連付けられ、前記ユーザコンピュータからの命令により、再注文や設計変更等の情報を収集し、加工、再編集等の処理をする第２のコンピュータ命令、この第２のコンピュータ命令で処理されたデータを工場に送信する第３のコンピュータ命令、工場で生産された製品の納期や納品時期等に合わせて配送する第４のコンピュータ命令を含む、前記サーバコンピュータの実行するコンピュータプログラムとで情報管理システムを構成している。
【０００７】
また、本発明は、少なくとも１つのサーバコンピュータと、このサーバコンピュータに接続された１つ以上のユーザコンピュータとを含むコンピュータシステムを用いて、設計や配線等の諸データや図面データを共有し、管理する前記サーバコンピュータを通信網を介して利用する情報管理方法であって、前記サーバコンピュータのデータベースに設計や配線等の諸データや図面データを蓄積するステップと、この蓄積ステップで蓄積されたデータが各々のユーザコンピュータ間で共有できるように関連付けられ、前記ユーザコンピュータからの命令により、再注文や設計変更等の情報を収集し、加工、再編集等の処理をするステップと、この処理ステップで処理されたデータを工場に送信するステップ、この送信ステップで送信されたデータに基づいて、工場で生産された製品の納期や納品時期等に合わせて配送するステップとで情報管理方法を構成している。
【０００８】
【発明の実施の形態】
以下、図面に示す実施の形態により、本発明を詳細に説明する。
【０００９】
図１ないし図１０に示す本発明の第１の実施の形態において、図１に示すように、１は通信網上に設置された、設計や配線等の諸データや図面データを共有し、管理するサーバで、このサーバ１は住宅メーカの設計や配線に関する諸情報や図面データ、ユーザ情報、図面作成のＣＡＤ情報等を保持するＷｅｂコンピュータに相当するから、出入力手段、メインプログラムに基づいて本発明の情報管理システムを実行する制御手段、各種データベース（ＤＢ）や記憶手段（記憶部）等を備えている。また、前記サーバ１は通信網２に無線ないし電話回線を介して接続されている。したがって、前記サーバ１は通信網２に接続され、かつ、情報記憶媒体に情報を保持していればよいから、複数個設けてもよい。
【００１０】
前記通信網２は、本実施の形態では、いわゆるグローバルネットワークであるインターネットが採用されている。なお、前記通信網２にはイントラネット等の民間の専用的通信網のみならず、インターネットも含まれる。
【００１１】
一方、３は前記サーバ１に通信網２を介して接続されたユーザコンピュータとしての住宅メーカの端末である。この住宅メーカの端末を介して、前記サーバ１にケーブル配線に必要な建築物等の設計データを格納する。
なお、住宅メーカでは、ＬＡＮネットワーク４が構築されていて、該ＬＡＮネットワーク４を介して前記通信網２に接続されてもよい。
５は前記サーバ１に前記通信網２を介して接続されたユーザコンピュータとしての工事店の端末、６は前記サーバ１に前記通信網２を介して接続されたユーザコンピュータとしての支店の端末、７は前記サーバ１に前記通信網２を介して接続された業務請負部端末あるいはＣＡＤ端末、Ｘは前記サーバ１に前記通信網２を介して接続された工場端末である。
なお、工事店、支店、業務請負会社、工場でも、住宅メーカと同様に、前記ＬＡＮネットワーク４を介して前記通信網２に接続されてもよい。
【００１２】
前記住宅メーカ端末３、工事店端末５、請負業者や支店端末６、ＣＡＤ等の端末７は室内や屋外で占有するパーソナルコンピュータ、ノートパソコン、ＰＤＡ、Ｌモード対応電話機、携帯電話機、インターネット対応家電等の情報端末機に相当するから、ホームページを閲覧するためのソフトウェアであるブラウザを有する。
したがって、前記ブラウザを介して各情報端末機の画面上で前記サーバ１に格納される情報を閲覧し、かつ所定の操作で所望する情報を入手、あるいは情報を入力した場合には、その制御装置に電気的に接続する記憶手段に本システムの情報を受取り、格納することができる。
【００１３】
図２に示すように、前記サーバ１の構成は従来と同様、あるいは効率のよいコンピュータシステム等の組合せ等から構成され、ウェブサイト維持用の任意の汎用あるいは専用コンピュータである。
まず、８は制御手段で、この制御手段８はＣＰＵ等から構成され、メインプログラム９やデータベース化された記憶手段１０に基づき各部の制御を行う。また本実施の形態のようにビジネス方法や装置の発明では、データの転送、テーブルに基づく演算、データの一時的な格納等を行う。
また、前記制御手段８は入力制御手段１１および出力制御手段１２を有する。該入力制御手段１１は前記通信網２を介して前記前記住宅メーカ、工事店、請負業者や支店、ＣＡＤ等の端末から受理した入力信号（データ）を制御する。一方、該出力制御手段１２は前記住宅メーカ、工事店、請負業者や支店、ＣＡＤ等の端末に出力する出力信号を制御する。
【００１４】
前記メインプログラム９と記憶手段１０は、説明の便宜上、区分けして図示してある。もちろん、該メインプログラム９と記憶手段１０は同じ記憶領域に格納されていてもよい。
また、該メインプログラム９は、前記制御手段８において用いられる基本的なプログラムなので、所定の画面や情報等を表示させるためのプログラム、検索条件により必要な情報を得るための検索用プログラム、メール送信プログラム、その他の必要プログラムから構成されている。
【００１５】
なお、説明の便宜上、各データベースを区分けしている。
また、本発明の各実施の形態では、格納手段を始めとし、これらの編集や登録等の手段に基づいて色々なデータがデータベース化され、かつ、区分けされて格納されている。
【００１６】
前記記憶手段１０には、デリバリー管理ＤＢ１３、図面データＤＢ１４とが備えられており、必要に応じて、前記住宅メーカ端末３を介して、受注を受ける建物の情報や設計に必要な基礎的情報等を格納する物件管理ＤＢ１５、配線設計等の注文情報を管理する受注管理ＤＢ１６とが適宜に備えられてもよい。
【００１７】
前記デリバリー管理ＤＢ１３は、図面データ等を共有データとして格納する前記図面データＤＢ１４を備えている。また、該デリバリー管理ＤＢ１３は、設計完了した図面データを格納する公開データ管理機能、切断データを登録する切断データ管理機能、製造工場を特定後に登録する製造手配情報管理機能、納期日を基準にして不要になった図面データや切断データ、これに付随する情報等を削除するＤＢ維持管理機能、ユーザのユーザＩＤ、パスワード、種別等のユーザ管理テーブルを利用して、前記サーバ１にアクセスしたユーザを管理するユーザ情報管理機能を備えている。
【００１８】
ここで、図３ないし図１０を参照して、本実施の形態では、例えば、配線等の図面の作成から図面の受領、製品の納品までの処理の本発明の情報管理システムを利用した一例を説明する。
【００１９】
まず、アクセスのあるユーザの情報端末に、例えば図３に示すような入力画面１７を表示してアクセスを制限する。入力された情報はインターフェイス１８を介して関連付けられ、デリバリー管理ＤＢ１３に格納、マッチング作業が行われ、マッチング作業が完了すれば、ユーザの情報端末の表示画面にそれぞれのユーザに対応する入力支援画面１９が表示される。
なお、該入力画面１７は、対象の情報が入力しやすいようにテンプレート形式に作成されているが、汎用テンプレートを作成し、入力情報に応じて改良して利用してもよい。
【００２０】
配線設計を受注可能な会社、事務所または下請会社としての支店が、配線設計の受注をした場合に、支店端末６からサーバ１にアクセスして所定のウェブサイトにオンライン状態になると、図４に示すように、支店用の入力支援画面１９ａが表示される。
この状態で、各項目を選択して所定の操作をすれば、必要な情報を閲覧、追加、変更等をすることができる。例えば、品名コードや工事店欄をクリックすれば各物件や工事店の概要を閲覧することができ、納期や納品地欄をクリックすれば必要に応じて追記、変更することができ、登録ボタンをクリックすれば、制御部を介して各ＤＢに必要事項を更新して格納する。
【００２１】
配線設計を請け負う部署では、業務請負部端末またはＣＡＤ端末７からサーバ１にアクセスして所定のウェブサイトにオンライン状態になると、図５に示すような、業務請負部端末用、本実施の形態では住宅事業部用の入力支援画面１９ｂが表示される。この入力支援画面１９ｂでは住宅事業部で把握される必要な項目が表示される。各項目の詳細な情報を閲覧、追加、変更する場合には、該当する箇所を選択して対応するＤＢから情報を呼び出すことになる。
また、配線の設計図面を作成する部署では、ＣＡＤ端末からサーバ１にアクセスして、図６に示すような、ＣＡＤ部署用の入力支援画面１９ｃが表示され、必要なデータを呼び出し、例えば、図７に示すような配線の設計図面Ｐ１をウェッブ上で作成する。作成された図面データは、該入力支援画面１９ｃを介してデリバリー管理ＤＢ１３の１４図面データＤＢにアップロードされ格納される。
【００２２】
現場で工事を担当する工事店では、自社で取り扱う案件のデータを確認するために、工事店端末５からサーバ１にアクセスして、図８に示すような、工事店用の入力支援画面１９ｄを呼び出し、物件の詳細、製品の納期や納期地、図面等の確認、追加、編集をすることができる。
この時、図面を確認後、図面の変更や修正がある場合には、図面をダウンロードして工事店端末に呼び出し、例えば、図９に示すように、配線やコネクタ等の位置の変更、壁や躯体の削除等の修正や変更点等を加えた配線の設計図面Ｐ２を、サーバ１にアップロードし、デリバリー管理ＤＢ１３の図面データＤＢ１４に格納される。修正された図面がアップロードされた場合には、再度ＣＡＤ部署で図面を修正、変更し、アップロードして、デリバリー管理ＤＢ１３の図面データＤＢ１４に格納する。
なお、修正がある図面等のデータは、特定の通信先にメール機能を利用して送信されてもよい。
また、修正や変更点等は、変更箇所を色を替えて表示したり、仮想線で表示したり、すなはち、修正や変更したことが第三者が見て識別できる手段で表示される。
【００２３】
工場では、製品を作成するために、工場端末Ｘからサーバ１にアクセスして、図１０に示すような、工場用の入力支援画面１９ｅを該端末Ｘの表示部に表示し、各製品の納期や納品地を確認することができる。仕上がった製品は、定期的に集配す運送会社等によって納品地へ配送される。
なお、工場は各地域や各国に設置されているので、工事店や納品地に近い工場を利用することにより、短期間に納品することができ、コストを低減することができる。
【００２４】
ここで、データの再編集等の処理において、例えば、編集時に検索用ブラウザや画面を使用して、作業を行っている案件に関連するキーワード、例えば氏名や担当者名、担当工事店等を所定の欄に入力し、デリバリー管理ＤＢ１３、図面データＤＢ１４、物件管理ＤＢ１５、受注管理ＤＢ１６から制御部を介して呼び出し、再編集、加工、納期の変更等の処理をすることができる。
なお、各々格納されたデータは再編集可能なデータなので、常に更新することができ、キーワードを特定するだけで、関連する情報を瞬時に獲得することができる。また、様々な入力者があらゆる観点からのデータを関連付けて各ＤＢに格納することができるので、短時間の操作で膨大な関連する更新済みデータを拾い上げることができる。
【００２５】
したがって、支店、工事店、業務請負部、ＣＡＤ部、工場等では、配線のデータ・ソース中の文書や図面の追加、更新、削除、閲覧及び検索を短時間に行うことができるとともに、それに伴う更新、編集された図面に基づいて効率よく製品化され納品されるので、常に現場の意見や状況を容易に反映するシステムにすることができる。
また、本実施の形態では、配線の図面の編集作業について説明したが、これに限らず、建築物の総合的な設計図面、施設のインフラ整備に伴う各種図面、ＬＡＮ等の企業内配線、物流等のロジカル図等で使用することができる。
【００２６】
【発明の異なる実施の形態】
次に、図１１ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００２７】
図１１および図１２に示す本発明の第２の実施の形態において、前記本発明の第１の実施の形態と主に異なる点は、工場で仕上がった製品を配送する情報を提携する運送会社Ｙ等に通知することができる工場用の入力支援画面１９Ａを用いた点で、このように構成した情報管理システムにしても本発明の第１の実施の形態と同様の作用効果を得ることができるとともに、納期を遅らせることなく、ユーザの意向に沿った納品をすることができる。
【００２８】
図１３に示す本発明の第３の実施の形態において、前記本発明の第１の実施の形態と主に異なる点は、複数個のＣＡＤ端末７を備えたＣＡＤ担当部署としてのＣＡＤネットワーク２０を構築して本システムのネットワークに接続した点で、このように構成した情報管理システムにしても本発明の第１の実施の形態と同様の作用効果を得ることができる。
【００２９】
図１４および図１５に示す本発明の第４の実施の形態において、前記本発明の第１の実施の形態と主に異なる点は、各端末から、加工、再編集等の処理がされたデータがサーバにアップロードされた場合には、変更や編集後のデータであることを表す識別マークＺを付すように処理するデリバリー管理ＤＢ１３Ａを用いた点で、このように構成した情報管理システムにしても本発明の第１の実施の形態と同様の作用効果を得ることができるとともに、各入力支援画面には更新されたデータには前記識別マークＺが付されているので、確実に確認することができる。
なお、識別子を付与することによって、特定の相手にメール等を利用して直接送信できるようにしてもよい。
【００３０】
図１６ないし図２０に示す本発明の第５の実施の形態において、前記本発明の第１の実施の形態と主に異なる点は、汎用のデータ符号化フォーマットおよびデータ交換フォーマットとしてＸＭＬを使用する点で、デリバリー管理ＤＢ１３Ｂは、各入力用支援画面１９を介して入力された様々な情報を再編集しやすい状態、つまりＸＭＬに変換する変換手段２１と、変換された情報を各ＤＢに格納する格納手段２２とを備えている。
前記変換手段２１では、情報を格納する場合に、変換手段としてのインターフェイス１８Ａを介して、図１７に示すように、例えばデータのマッピング等の処理がされ、入力されたＨＴＭＬフォームがＸＭＬ文書へ変換される。一方、出力されるＸＭＬ文書が前記インターフェイス１８Ａを介して出力される場合には、出力ＨＴＭＬフォームへ変換されるのはいうまでもない。
従来と同様のハイパーテキスト・マークアップ言語（ＨＴＭＬ）とは異なり、ＸＭＬのマークアップ記号は限定を受けず、自己定義を行うので拡張可能であり、カスタマイズされた「タグ」の作成が可能であるので、このタグによってＨＴＭＬでは利用できない機能が与えられる。例えば、それぞれただ１つの宛先しか参照できないＨＴＭＬリンクとは対照的に、図１８に示すように、ＸＭＬでは複数の文書を指定するリンクがサポートされる。これらの基本インターフェイスによって本発明のシステムでは、リンクされたレガシー・アプリケーションやレガシー・データ・ソースの閲覧、修正およびリアルタイムでの交信や通信等が可能になる。
ＸＭＬを用いた場合には、インターフェイス１８Ａによって、入力されたあるいは使用されているＨＴＭＬフォームをＸＭＬ文書に変換する。
また、図１９および図２０に示すように、ＸＭＬは拡張リンクが可能、複数のリンク先がＯＫで、参照先から参照元へ戻る機能や、参照先同士のリンクも可能である。
このように構成した情報管理システムにしても本発明の第１の実施の形態と同様の作用効果を得ることができるとともに、格納されるデータを効率よく使用し、利用価値の高い状態で再利用や再編集することができる。
【００３１】
図２１および図２２に示す本発明の第６の実施の形態において、前記本発明の第５の実施の形態と主に異なる点は、異なるデータを格納している既存の各々のサーバを電気的にあるいは赤外線、ブルートゥース等の無線等で接続して、複数のサーバを仮想的に１単位として使用する点で、このように構成された本発明の情報管理システムは、変換手段としてのインターフェイス１８Ａを介してＸＭＬに変換されるので、異なる文書データが格納されていても共通のＸＭＬ文書で処理することができる。
なお、データの変換は人為的に処理できるだけでなく、自動的に処理されるようにシステム化されていてもよい。
また、本実施の形態では、例えば、図２２に示すように、異なる形式のデータを格納する既存のデータベースを仮想的に一体化あるいは吸収合体させて、データを統一し、再編集可能なデータを生成することができる。
したがって、前記インターフェイス１８Ａを用いて、既存のアプリケーションとデータ・ソースに対する読出し、書込み、修正アクセス等ができるので、本発明の第１の実施の形態と同様の作用効果を得ることができるとともに、既存のデータを無駄にすることなく効率よく再編集して活用することができる。
【００３２】
なお、前記本発明の異なる実施の形態では主に第１の実施の形態を基にして説明したが、本発明はこれに限らず、各実施の形態に使用された構成を組み合わせて使用しても同様な作用効果が得られる。
【００３３】
【発明の効果】
以上の説明から明らかなように、本発明にあっては次に列挙する効果が得られる。
【００３４】
（１）設計や配線等の諸データや図面データを共有し、管理するサーバコンピュータを通信網を介して利用する情報管理システムであって、少なくとも１つのサーバコンピュータと、このサーバコンピュータに接続された１つ以上のユーザコンピュータと、前記サーバコンピュータのデータベースに設計や配線等の諸データや図面データを蓄積する第１のコンピュータ命令、この第１のコンピュータ命令で蓄積されたデータが各々のユーザコンピュータ間で共有できるように関連付けられ、前記ユーザコンピュータからの命令により、再注文や設計変更等の情報を収集し、加工、再編集等の処理をする第２のコンピュータ命令、この第２のコンピュータ命令で処理されたデータを工場に送信する第３のコンピュータ命令、工場で生産された製品の納期や納品時期等に合わせて配送する第４のコンピュータ命令とを含む、前記サーバコンピュータの実行するコンピュータプログラムとからなるので、常時再編集可能な状態で図面データを確認することができるので、突発的な図面変更、修正等にも対応して図面を編集することがでできる。
したがって、常時利用価値の高い状態でデータを使用することができる。
【００３５】
（２）前記（１）によって、利用価値の高い状態のデータに基づき製造され、効率よく配送されるので、納期や納品先を考慮することなくコストの低減をすることができる。
【００３６】
（３）前記（１）によって、設計や製造部門を有していない工事店等でもウェブ上で自分の工場のように効率よく快適に利用することができる。
したがって、人員削減、コストの低減をすることができる。
【００３７】
（４）請求項２〜８も前記（１）〜（３）と同様な作用効果が得られる。
【図面の簡単な説明】
【図１】本発明の第１の実施の形態の基本的な構成例を示す説明図。
【図２】本発明の第１の実施の形態のサーバの構造図。
【図３】本発明の第１の実施の形態の入力画面および入力支援画面の概略図。
【図４】本発明の第１の実施の形態の支店の入力支援画面の概略図。
【図５】本発明の第１の実施の形態の住宅事業部の入力支援画面の概略図。
【図６】本発明の第１の実施の形態のＣＡＤ端末の入力支援画面の概略図。
【図７】本発明の第１の実施の形態の配線の設計図面の参考図。
【図８】本発明の第１の実施の形態の工事店の入力支援画面の概略図。
【図９】本発明の第１の実施の形態の配線の設計図面の修正や変更の参考図。
【図１０】本発明の第１の実施の形態の工場の入力支援画面の概略図。
【図１１】本発明の第２の実施の形態の基本的な構成例を示す説明図。
【図１２】本発明の第２の実施の形態の入力支援画面の概略図。
【図１３】本発明の第３の実施の形態の基本的な構成例を示す説明図。
【図１４】本発明の第４の実施の形態のサーバの構造図。
【図１５】本発明の第４の実施の形態の入力画面および入力支援画面の概略図。
【図１６】本発明の第５の実施の形態のサーバの構造図。
【図１７】本発明の第５の実施の形態のインターフェイスの説明図。
【図１８】本発明の第５の実施の形態のデータのリンク関係を示す説明図。
【図１９】本発明の第５の実施の形態の複数データの関係を示す説明図。
【図２０】本発明の第５の実施の形態のデータ構造の説明図。
【図２１】本発明の第６の実施の形態の入力画面および入力支援画面の概略図。
【図２２】本発明の第６の実施の形態のフロー図。
【符号の説明】
１、１Ａ：サーバ、                  ２：通信網、
３：住宅メーカ端末、                ４：ＬＡＮネットワーク、
５：工事店端末、                    ６：請負業者や支店の端末、
７：業務請負部端末またはＣＡＤ端末、８：制御手段、
９：メインプログラム、              １０：記憶手段、
１１：入力制御手段、                １２：出力制御手段、
１３、１３Ａ：デリバリー管理ＤＢ、  １４：図面データＤＢ、
１５：物件管理ＤＢ、                １６：受注管理ＤＢ、
１７：入力画面、                    １８、１８Ａ：インターフェイス、
１９、１９Ａ：入力支援画面、        １９ａ：支店用の入力支援画面、
１９ｂ：住宅事業部用の入力支援画面、  １９ｃ：ＣＡＤ部署用の入力支援画面、
１９ｄ：工事店用の入力支援画面、    １９ｅ：工場用の入力支援画面、
２０：ＣＡＤネットワーク、          ２１：変換手段、
２２：格納手段、                    Ｐ：配線の設計図面、
Ｘ：工場端末、                      Ｙ：運送会社、
Ｚ：識別マーク。
【図１】
2004272567.tif 000003
【図２】
2004272567.tif 000004
【図３】
2004272567.tif 000005
【図４】
2004272567.tif 000006
【図５】
2004272567.tif 000007
【図６】
2004272567.tif 000008
【図７】
2004272567.tif 000009
【図８】
2004272567.tif 000010
【図９】
2004272567.tif 000011
【図１０】
2004272567.tif 000012
【図１１】
2004272567.tif 000013
【図１２】
2004272567.tif 000014
【図１３】
2004272567.tif 000015
【図１４】
2004272567.tif 000016
【図１５】
2004272567.tif 000017
【図１６】
2004272567.tif 000018
【図１７】
2004272567.tif 000019
【図１８】
2004272567.tif 000020
【図１９】
2004272567.tif 000021
【図２０】
2004272567.tif 000022
【図２１】
2004272567.tif 000023
【図２２】
2004272567.tif 000024